(57)【要約】【課題】足場板の展開や折り畳み作業が容易且つ迅速に行うことができると共に作業性に優れた新規な折り畳み式足場を提供するものである。【解決手段】複数枚の足場板１０，２０，３０を上下方向に交互に折り畳み自在に連結すると共に、当該各足場板１０，２０，３０の連結部のうち谷折り状の連結部４１に、前記足場板１０，２０，３０を展開したときに当該連結部４１の谷折り状態を防止する固定手段８０を備える。これによって、足場板の展開や折り畳み作業が容易且つ迅速に行うことができると共に優れた作業性を発揮できる。【選択図】    図１
2009228341.tif 000002
【特許請求の範囲】
【請求項１】
複数枚の足場板を上下方向に交互に折り畳み自在に連結すると共に、当該各足場板の連結部のうち、谷折り状の連結部に、前記足場板を展開したときに当該連結部の谷折り状態を防止する固定手段を備えたことを特徴とする折り畳み式足場。
【請求項２】
第１の足場板と、当該第１の足場板の一端部に谷折り状に折り畳み可能に連結される第２の足場板と、当該第２の足場板の他端部に山折り状に折り畳み可能に連結される第３の足場板と、前記第２の足場板を前記第１の足場板に対してほぼ面一状に展開したときに当該第１の足場板と第２の足場板との連結部の谷折り状態を防止する固定手段と、当該固定手段による固定状態を解除する解除手段とを有することを特徴とする折り畳み式足場。
【請求項３】
請求項２に記載の折り畳み式足場において、
前記第１の足場板に移動用の吊りピースを備えたことを特徴とする折り畳み式足場。
【請求項４】
請求項２または３に記載の折り畳み式足場において、
前記第３の足場板に展開および折り畳み用の吊りピースを備えたことを特徴とする折り畳み式足場。
【請求項５】
請求項１〜４のいずれか１項に記載の折り畳み式足場において、
前記各足場板に手摺りを着脱自在に備えたことを特徴とする折り畳み式足場。
【発明の詳細な説明】
【技術分野】
【０００１】
本発明は、製鉄所の線棒工場クーリングベッドなどのように複数の梁が所定の間隔を隔てて設けられている場所などに適宜搬送されて用いられる可動式の折り畳み式足場に関するものである。
【背景技術】
【０００２】
従来、係る場所で用いられる足場としては、例えば短冊形状をした複数枚のアルミ製の足場板を天井クレーンなどで順次所定の位置まで搬送した後、作業員が各足場板同士をボルトなどで連結すると共に、各足場板に脱落防止用の手摺りなどを組み付けることで各種作業用の足場として用いられている。
そして、その足場を用いた作業が終了したならば、再び作業員によって各足場板を分離した後、同じく天井クレーンなどで順次その足場板を所定の位置まで搬送することでその移動および撤去が行われるようになっている。
【０００３】
しかしながら、このような従来の足場では、その設置および移動ならびに撤去作業の都度、作業員が足場板同士の連結や分離作業などを行わなければならないため、その作業には多くの手間と時間を要するといった問題がある。
一方、以下の特許文献１には、「手摺り付き足場板本体に延長足場を収容し、その手摺り付き足場板本体の端面から延長足場を引き出し可能にした仮設用足場」が開示されている。
【０００４】
また、以下の特許文献２には、「表面に多数の滑り止め部が形成された２枚の板材と、この両板材を折り畳み可能に連結するヒンジと、一方の板材側面に一端側が枢着され、他方の板材側面に設けられた２つの係止部に他端側が選択的に係止されて展開状態を保持し、または、折り畳み状態を保持するストッパとを具備してなり、上記板材が固定されるヒンジの突き合わせ面をヒンジの軸芯より突出して形成し、展開状態において両板材の突き合わせ部が上方に突出するようにした折り畳み足場板」が開示されている。
【特許文献１】特開平８−１９９７９５号公報
【特許文献２】実用新案登録第２５７３６９８号公報
【発明の開示】
【発明が解決しようとする課題】
【０００５】
ところで、前記特許文献１に開示されているような構造をした仮設用足場の場合では、足場板本体とこれより引き出される延長足場との境目に段差が生じてしまい、作業性が良くないといった不都合がある。
一方、前記特許文献１に開示されているような構造をした折り畳み足場板では、収納時には折り畳むことによりスペースを有効に利用でき、且つ持ち運びを容易にできるが、単に２枚の板材をヒンジで折り畳み可能に連結した構成であるため、その展開距離が短い。また、すべての足場板が山折り状態に折り畳まれるようになっているため、その足場板の展開や折り畳み作業は容易でない。
そこで、本発明はこのような課題を有効に解決するために案出されたものであり、その目的は、足場板の展開や折り畳み作業が容易且つ迅速に行うことができると共に作業性に優れた新規な折り畳み式足場を提供するものである。
【課題を解決するための手段】
【０００６】
前記課題を解決するために請求項１の発明は、
複数枚の足場板を上下方向に交互に折り畳み自在に連結すると共に、当該各足場板の連結部のうち谷折り状の連結部に、前記足場板を展開したときに当該連結部の谷折り状態を防止する固定手段を備えたことを特徴とする折り畳み式足場である。
また、請求項２の発明は、
第１の足場板と、当該第１の足場板の一端部に谷折り状に折り畳み可能に連結される第２の足場板と、当該第２の足場板の他端部に山折り状に折り畳み可能に連結される第３の足場板と、前記第２の足場板を前記第１の足場板に対してほぼ面一状に展開したときに当該第１の足場板と第２の足場板との連結部の谷折り状態を防止する固定手段と、当該固定手段による固定状態を解除する解除手段とを有することを特徴とする折り畳み式足場である。
【０００７】
また、請求項３の発明は、
請求項２に記載の折り畳み式足場において、前記第１の足場板に移動用の吊りピースを備えたことを特徴とする折り畳み式足場である。
また、請求項４の発明は、
請求項２または３に記載の折り畳み式足場において、前記第３の足場板に展開および折り畳み用の吊りピースを備えたことを特徴とする折り畳み式足場である。
また、請求項５の発明は、
請求項１〜４のいずれか１項に記載の折り畳み式足場において、前記各足場板に手摺りを着脱自在に備えたことを特徴とする折り畳み式足場である。
【発明の効果】
【０００８】
請求項１および２の発明によれば、複数枚の足場板（第１〜第３の足場板）を上下方向に交互に折り畳み自在に連結したため、収納時にはコンパクトに折り畳むことによりスペースを有効に利用できると共に、持ち運びを容易にすることができる。
また、最上部の足場板を吊り上げて移動することでその展開や折り畳み作業を容易且つ迅速に行うことができる。
【０００９】
さらに、当該各足場板の連結部のうち、谷折り状の連結部（第１の足場板と第２の足場板との連結部）にそれらの足場板を展開したときにその連結部の谷折り状態を防止する固定手段を備えたことから、その谷折り状の連結部に作業員が載った場合でもその部分が谷折り状に変形してしまうといった不都合を防止できる。
また、この固定手段による固定状態を解除する解除手段を備えたことから、この解除手段によって谷折り連結部の固定状態を解除することで容易に折り畳むことができる。
また、さらに各足場板を交互に折り畳み式に連結することにより、展開したときに各足場板間を面一状態（同じ高さ）にできるため、各足場板同士の連結部分の段差をなくすことができる。
【００１０】
また、請求項３の発明によれば、前記第１の足場板に移動用の吊りピースを備えたことから、この吊りピースをワイヤなどによって適宜吊り上げ移動することで足場全体を容易に搬送することができる。
また、請求項４の発明によれば、前記第３の足場板に展開および折り畳み用の吊りピースを備えたことから、同じく吊りピースをワイヤなどによって適宜吊り上げ移動することで第１の足場板に対する第２および第３の足場板の展開および折り畳み作業を容易に行うことができる。
また、請求項５の発明によれば、前記各足場板に手摺りを着脱自在に備えたことから、作業時の安全性を向上することができる。
【発明を実施するための最良の形態】
【００１１】
以下、本発明を実施するための最良の形態を添付図面を参照しながら詳述する。
図１〜図４は、本発明に係る折り畳み式足場１００の実施の一形態を示したものである。
ここで、図１はこの折り畳み式足場１００を折り畳んだ状態を示す斜視図、図２はこの折り畳み式足場１００を折り畳んだ状態から展開する状態を示す側面図、図３は同じくこの折り畳み式足場１００を展開し終えた状態を示す側面図、図４は図３の平面図である。
【００１２】
図示するように、この折り畳み式足場１００は、例えば、幅および長さがそれぞれ１０００ｍｍ×３０００ｍｍ程度の短冊形状をしたアルミ板などの軽金属板からなる３枚の足場板１０，２０，３０から構成されている。
そして、これら各足場板１０，２０，３０は、ヒンジ（蝶番）からなる連結部４１，４２によって直線状になるようにそれぞれその長手方向に連結されていると共に、図２に示すようにこの連結部４１，４２で折り曲げ自在となっており、この連結部４１，４２で折り曲げることで各足場板１０，２０，３０を上下に重ね合わせるように折り畳んだり、折り畳んだ状態から平面状に展開自在となっている。
【００１３】
すなわち、図１に示すように折り畳んだ状態のときに最下部に位置する第１の足場板１０と、この第１の足場板１０の上部に位置する第２の足場板２０との連結部４１は、その第１の足場板１０、２０の上面側に軸が位置する一対の蝶番４１ａ、４１ａによって連結されていると共に、この第２の足場板２０と、この第２の足場板２０の上部に位置する第３の足場板３０との連結部４２は、その第２の足場板１０、２０の下面側に軸が位置する一対の蝶番４２ａ、４２ａによって連結されている。
【００１４】
また、第１の足場板１０の両側面前後４箇所には、それぞれ移動用の吊りピース５１，５１，５１，５１が設けられており、図示しない吊りワイヤなどの吊具が係合するようになっている。
また、第３の足場板３０の両側面前後４箇所には、それぞれ展開および折り畳み用の吊りピース５２，５２，５２，５２が設けられており、同じく図示しない吊りワイヤなどの吊具が係合するようになっている。
さらに、これら各足場板１０，２０，３０の両側面には、上方に開口した差込口６０がそれぞれ左右３つずつ（合計６個）設けられており、手摺り７０の脚部７１，７１，７１が着脱自在に差し込まれるようになっている。
【００１５】
また、図５に示すように、この第１の足場板１０と第２の足場板１０との連結部４２には、谷折り状態を防止する固定手段８０が設けられていると共に、この第１の足場板１０側には、この固定手段８０による固定状態を解除する解除手段９０が設けられている。
図示するように、この固定手段８０は、第１の足場板１０の下面側に軸支されたロック金具８１と、このロック金具８１をその軸支部８１ａを軸として第１の足場板１０の板厚方向に付勢するコイルバネ８２とから主に構成されている。
【００１６】
そして、このロック金具８１の先端は、第２の足場板２０側に突出していると共に、その先端上部には、断面三角形のテーパ部８１ｂが形成されており、第２の足場板２０が展開したときにこのテーパ部８１ｂが第２の足場板２０の端部に設けられた係合部２１に沿って移動した後、両者が係合することでその展開状態を固定するようになっている。
【００１７】
すなわち、図６（１）に示すように、第１の足場板１０上に第２の足場板２０が折り畳まれた状態からその連結部４１を軸として第２の足場板２０を展開（回動）し、第２の足場板２０の上面と第１の足場板１０との上面とがなす角度が、例えば２０°になると、第２の足場板２０の端部に設けられた係合部２１が、固定手段８０のロック金具８１先端のテーパ部８１ｂに接触することになる。
【００１８】
そして、さらにこの状態からその連結部４１を軸として第２の足場板２０を展開（回動）すると、同図（２）、（３）に示すようにロック金具８１先端のテーパ部８１ｂが第２の足場板２０側の係合部２１によって押し下げられるようにして回動すると共にその反対側端部が上昇してコイルバネ８２を縮ませるように作用する。
その後、さらに第２の足場板２０を展開（回動）して同図（４）に示すように第２の足場板２０の上面と第１の足場板１０との上面とがほぼ面一状態になると、ロック金具８１先端のテーパ部８１ｂと第２の足場板２０側の係合部２１との係合が解けると同時に、コイルバネ８２の付勢力によってこのロック金具８１が一気に元の状態に戻される。
【００１９】
これによってロック金具８１のテーパ部８１ｂと第２の足場板２０の係合部２１とが引っ掛かってその連結部４１がロックされた状態となり、第１の足場板１０に対する第２の足場板２０の動き（回動）が規制されて両足場１０，２０の上面が面一状態になるように互いに固定されるようになっている。
一方、この固定手段８０による固定状態を解除する解除手段９０は、図５に示すように、この固定手段８０のロック金具８１側に解除用ワイヤＷ１の一端を連結すると共に、そのこの解除ワイヤＷ１の他端側を複数の滑車９１ａ、９１ｂを介して第１の足場板１０の端部に設けられた解除用レバー９２に連結したものである。
【００２０】
そして、作業員がこの解除用レバー９２の先端に設けられたリング状の取っ手９３を持って図中矢印方向に引っ張ることで図６（４）→図６（３）に示すように第２の足場板２０側の係合部２１に引っ掛かっていたロック金具８１先端のテーパ部８１ｂが下がってその連結部４１のロックが解除されるようになっている。
次に、このような構成をした本発明の折り畳み式足場１００の展開および折り畳み方法などについて説明する。
【００２１】
先ず、図７（１）および（２）に示すように、各足場板１０，２０，３０が上下に折り畳まれた状態の折り畳み式足場１００に対して、その第１の足場板１０に設けられた移動用の吊りピース５１，５１…に吊りワイヤＷ２を連結してから、この吊りワイヤＷ２を天井クレーンなどのフックＦに引っ掛けて全体を吊り上げた状態で所定の敷設場所まで搬送し、その位置に降ろす。ここで、この敷設場所としては、例えば、製鉄所の線棒工場クーリングベッドなどのように複数の梁Ｈが所定の間隔を隔てて設けられた場所であり、最下部に位置する第１の足場板１０が複数の梁Ｈ間に架け渡すようにして水平に設置される。また、この折り畳み式足場１００の最上部に位置する第３の足場板３０には、手摺り７０が予め取り付けられた状態で搬送される。
【００２２】
次に、このようにして所定の敷設位置に本発明の折り畳み式足場１００を搬送したならば、同図（２）に示すように、その吊りワイヤＷ２をその第１の足場板１０に設けられた移動用の吊りピース５１，５１…から外すと共に、第３の足場板３０に設けられた展開用の吊りピース５２，５２…に付け替える。
そして、同図（３）に示すように、この状態から吊りワイヤＷ２を吊り上げると第３の足場板３０が上昇すると共に、これに連結された第２の足場板２０が起立し始め、さらにその後、その第３の足場板３０をその長手方向に円弧状に移動することで各足場板１０、２０，３０が大きく展開して各足場板１０、２０，３０が直線状に並ぶようにして各梁Ｈ上に水平に敷設される。
【００２３】
このとき、谷折り状態となっていた第１の足場板１０と第２の足場板２０との連結部４１では、第２の足場板２０が第１の足場板１０と面一になるように展開されることによって前述したような固定手段８０の作用によって自動的に水平状態にロックされることになる。
このようにして各足場板１０、２０，３０が直線状に並ぶようにして各梁Ｈ上に水平に敷設されたならば、同図（３）に示すように、第１の足場板１０および第２の足場板２０にそれぞれ手摺り７０を取り付けることで作業用の足場の敷設が完了する。
【００２４】
そして、この折り畳み式足場板１００を用いた作業が終了したならば、図８に示すように、第１および第２の足場板１０，２０にそれぞれ取り付けた手摺り７０を取り外した後、作業員が解除手段９０の解除用レバー９２を図中矢印方向に引っ張ってその連結部４１のロックが解除してから、再び第３の足場板３０にワイヤＷ２を連結してこれを天井クレーンのフックＦによって吊り上げる。そして、吊り上げた第３の足場板３０をそのまま第１の足場板１０上まで円弧状に移動させた後、降下させることで各足場板１０、２０，３０が上下に重なり合うように元の状態に折り畳むことができる。
【００２５】
その後、このワイヤＷ２を第１の足場板１０の吊りピース５１、５１…に繋ぎ直してからこれを天井クレーンのフックＦによって吊り上げて搬送することで所定の位置に移動または格納することができる。
このように本発明の折り畳み式足場板１００は、第１〜第３の足場板１０，２０，３０を上下方向に交互に折り畳み自在に連結したため、収納時や運搬時にはコンパクトに折り畳むことによりスペースを有効に利用できると共に、持ち運びを容易にすることができる。
【００２６】
また、使用時には、これら各足場板１０，２０，３０をそのまま展開することにより、長スパンの足場であっても簡単に敷設できると共に、収納および搬送時には、第３の足場板３０をそのまま第１の足場板１０上に移動させることにより、迅速に折り畳むことができる
また、このように敷設された本発明の折り畳み式の足場板１００にあっては、谷折り状に折り畳まれる第１の足場板１０と第２の足場板２０との連結部４１が固定手段８０によって水平状態に固定されることになるため、作業中にその連結部４１上に作業員が乗った場合であってもその部分が谷折れ状態になったりすることなく、安全に作業を行うことができる。
【００２７】
また、この固定手段８０による固定状態を簡単に解除できる解除手段９０を備えたことから、この解除手段９０によって谷折り連結部の固定状態を解除することで容易に折り畳むことができる。
また、さらに各足場板１０，２０，３０を交互に折り畳み式に連結することにより、展開したときに各足場板１０，２０，３０間を面一状態（同じ高さ）にできるため、各足場板１０，２０，３０同士の連結部分の段差をなくすことができる。これによって、優れた作業性を発揮することができる。
【００２８】
また、第１の足場板１０に移動用の吊りピース５１、５１…を備えたことから、この吊りピースをワイヤなどによって適宜吊り上げ移動することで足場全体を容易に搬送することができると共に、さらに、第３の足場板３０に展開および折り畳み用の吊りピース５２、５２…を備えたことから、同じくこの吊りピース５２、５２…をワイヤＷ２などによって適宜吊り上げ移動することで第１の足場板１０に対する第２および第３の足場板２０、３０の展開および折り畳み作業を容易に行うことができる。
【００２９】
また、前記各足場板１０、２０、３０にそれぞれ手摺り７０を着脱自在に備えたことから、作業時の安全性を向上することができる。
なお、本実施の形態では、３枚の足場板１０、２０、３０を交互に折り畳み自在に連結した構成にしたが、この足場板の数はこれに限定されるものでなく、少なくとも２枚以上であれば、同様な作用・効果を発揮することができる。
また、本実施の形態では、短冊形状をした足場板をその長手方向に連結するようにしたが幅方向に連結するようにしても良い。また、その足場板の形状は特に限定されるものでなく、例えば正方形や楕円形などであっても良い。
【図面の簡単な説明】
【００３０】
【図１】本発明に係る折り畳み式足場１００を折り畳んだ状態を示す斜視図である。
【図２】本発明に係る折り畳み式足場１００を折り畳んだ状態から展開する状態を示す側面図である。
【図３】本発明に係る折り畳み式足場１００を展開し終えた状態を示す側面図である。
【図４】図３の平面図である。
【図５】固定手段８０および解除手段９０の構造を示す側面図である。
【図６】固定手段８０の作用を示す説明図である。
【図７】本発明に係る折り畳み式足場１００の敷設方法を示す説明図である。
【図８】本発明に係る折り畳み式足場１００の折り畳み方法を示す説明図である。
【符号の説明】
【００３１】
１００…折り畳み式足場
１０…第１の足場板
２０…第２の足場板
３０…第３の足場板
４１、４２…連結部
５１…移動用の吊りピース
５２…展開および折り畳み用の吊りピース
６０…差込口
７０…手摺り
８０…固定手段
９０…解除手段
【図１】
2009228341.tif 000003
【図２】
2009228341.tif 000004
【図３】
2009228341.tif 000005
【図４】
2009228341.tif 000006
【図５】
2009228341.tif 000007
【図６】
2009228341.tif 000008
【図７】
2009228341.tif 000009
【図８】
2009228341.tif 000010